(57)【要約】【課題】ネット受信放送を実施する場合に、遠隔局側でテレビジョン放送番組の映像信号の帰線期間に多重された番組付随データを欠落させることなくスムーズに再生する。【解決手段】遠隔局２０において、親局１０から中継ネットワークＮＷを介して到来する映像信号をオフセット遅延回路２０８により略１フィールド期間保持するとともに、入力映像同期再生部２１０により映像信号から同期信号を再生する。この同期信号を位相比較回路２１１によって自局の同期信号と位相比較して、フレームスキップが発生する恐れがあるか否かを判定する。そして、切替指示信号が入力され、フレームスキップが発生する恐れがある場合に、タイミング制御部２１２によってオフセット遅延回路２０８の出力信号をフレームシンクロナイザＦＳへ導出するように切替スイッチ２０９を切り替える。【選択図】　　図４
2004040194.tif 000002
【特許請求の範囲】
【請求項１】
テレビジョン放送番組のベースバンド映像信号を圧縮符号化したデジタル放送信号を第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内にデジタル放送信号として送出する第２の放送局とを備えたテレビジョン放送番組中継送出システムであって、
前記第１の放送局は、前記ベースバンド映像信号のフィールドごとの所定の帰線期間に番組に関する情報を含んだ付随情報を挿入して前記中継回線により送信する付随情報送信手段を備え、
前記第２の放送局は、
前記第１の放送局から前記中継回線を介して到来したベースバンド映像信号を該映像信号に同期した書き込み速度でメモリに１フレーム分書き込み、自局で発生される同期信号に同期した読み出し速度で前記メモリに書き込まれたベースバンド映像信号を読み出す映像信号処理手段と、
前記第１の放送局から前記中継回線を介して到来したベースバンド映像信号を略１フィールド遅延する遅延手段と、
前記第１の放送局から前記中継回線を介して到来したベースバンド映像信号及び前記遅延手段の出力のいずれか一方を前記映像信号処理手段の入力信号として選択的に導出する切替手段と、
前記第１の放送局から前記中継回線を介して到来したベースバンド映像信号を入力し、該ベースバンド映像信号から同期信号を再生する入力映像同期再生手段と、
この入力映像同期再生手段により再生される同期信号と自局の同期信号とを位相比較する位相比較手段と、
外部から切替指示信号が入力されたとき、前記位相比較手段の位相比較結果に基づいて前記切替手段の切り替えを行なう切替制御手段とを具備したことを特徴とするテレビジョン放送番組中継送出システム。
【請求項２】
テレビジョン放送番組のベースバンド映像信号を圧縮符号化したデジタル放送信号を第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内にデジタル放送信号として送出する第２の放送局とを備え、前記第１の放送局にて前記ベースバンド映像信号のフィールドごとの所定の帰線期間に番組に関する情報を含んだ付随情報を挿入して前記中継回線により送信するテレビジョン放送番組中継送出システムで前記第２の放送局として使用されるテレビジョン放送信号受信処理装置であって、
前記第１の放送局から前記中継回線を介して到来したベースバンド映像信号を該ベースバンド映像信号に同期した書き込み速度でメモリに１フレーム分書き込み、自局で発生される同期信号に同期した読み出し速度で前記メモリに書き込まれたベースバンド映像信号を読み出す映像信号処理手段と、
前記第１の放送局から前記中継回線を介して到来したベースバンド映像信号を略１フィールド遅延する遅延手段と、
前記第１の放送局から前記中継回線を介して到来したベースバンド映像信号及び前記遅延手段の出力のいずれか一方を前記番組情報信号処理手段の入力信号として選択的に導出する切替手段と、
前記第１の放送局から前記中継回線を介して到来したベースバンド映像信号を入力し、該ベースバンド映像信号から同期信号を再生する入力映像同期再生手段と、
この入力映像同期再生手段により再生される同期信号と自局の同期信号とを位相比較する位相比較手段と、
外部から切替指示信号が入力されたとき、前記位相比較手段の位相比較結果に基づいて前記切替手段の切り替えを行なう切替制御手段とを具備したことを特徴とするテレビジョン放送信号受信処理装置。
【請求項３】
前記切替制御手段は、前記切替指示信号として初期設定信号が入力されたとき、前記位相比較手段の位相比較結果に基づいて前記切替手段の切り替えを行なうことを特徴とする請求項２記載のテレビジョン放送信号受信処理装置。
【請求項４】
前記切替制御手段は、運用者の指定操作に応じて、前記位相比較手段の位相比較結果に基づいて前記切替手段の切り替えを行なうことを特徴とする請求項２記載のテレビジョン放送信号受信処理装置。
【請求項５】
前記切替制御手段は、前記ベースバンド映像信号の送信元が切り替わった時、前記位相比較手段の位相比較結果に基づいて前記切替手段の切り替えを行なうことを特徴とする請求項２記載のテレビジョン放送信号受信処理装置。
【請求項６】
前記切替制御手段は、前記位相比較手段の位相比較結果から前記入力映像同期再生手段により再生される同期信号と自局の同期信号との位相差が所定値未満となった場合に、アラーム情報を出力するアラーム出力手段を備えることを特徴とする請求項２記載のテレビジョン放送信号受信処理装置。
【請求項７】
テレビジョン放送番組のベースバンド映像信号を圧縮符号化したデジタル放送信号を第１の放送サービスエリア内に送出する第１の放送局と、この第１の放送局と中継回線を介して接続され、前記第１の放送局から中継回線を介して送出されたベースバンド映像信号を受信して信号処理を加えた後、前記第１の放送サービスエリアとは異なる第２の放送サービスエリア内にデジタル放送信号として送出する第２の放送局とを備え、前記第１の放送局にて前記ベースバンド映像信号のフィールドごとの所定の帰線期間に番組に関する情報を含んだ付随情報を挿入して前記中継回線により送信するテレビジョン放送番組中継送出システムの前記第２の放送局で使用されるものとし、
前記第１の放送局から前記中継回線を介して到来したベースバンド映像信号を該ベースバンド映像信号に同期した書き込み速度でメモリに１フレーム分書き込み、自局で発生される同期信号に同期した読み出し速度で前記メモリに書き込まれたベースバンド映像信号を読み出す映像信号処理手段と、前記第１の放送局から前記中継回線を介して到来したベースバンド信号を略１フィールド遅延する遅延手段と、前記第１の放送局から前記中継回線を介して到来したベースバンド映像信号及び前記遅延手段の出力のいずれか一方を前記映像信号処理手段の入力信号として選択的に導出する切替手段とを備えるテレビジョン放送信号受信処理装置の信号処理制御方法であって、
前記第１の放送局から前記中継回線を介して到来したベースバンド映像信号を入力し、該ベースバンド映像信号から同期信号を再生する第１の過程と、
この第１の過程により再生される同期信号と自局の同期信号とを位相比較する第２の過程と、
外部から切替指示信号が入力されたとき、前記第２の過程による位相比較結果に基づいて前記切替手段の切り替えを行なう第３の過程とを具備したことを特徴とするテレビジョン放送信号受信処理装置の信号処理制御方法。
【発明の詳細な説明】
【０００１】
【発明の属する技術分野】
この発明は、例えばネット受信放送として使用されるテレビジョン放送番組中継送出システムとテレビジョン放送信号受信処理装置及びこのテレビジョン放送信号受信処理装置で使用される信号処理制御方法に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
このようなデジタル放送では、種々の開発が進められており、特に従来のアナログ放送で実施されているような例えば親局及び遠隔局を中継回線により結ぶネット受信放送システムの構築が一つの課題となっている。
また、デジタル放送にあっても、アナログ放送と同様に、映像・音声以外に画面字幕や番組に付随する各種のデータサービス、さらには遠隔局のシステム制御のための各種の番組素材情報、その他の放送制御情報を、ベースバンド映像信号の垂直ブランキング期間などにデータパケットとして多重して伝送することも求められるようになってきている。
【０００４】
ところで、遠隔局において、親局の映像同期と遠隔局の映像同期とが異なるため、フレームシンクロナイザを用いて親局の映像フレーム周期を遠隔局の映像フレーム周期に合わせる方法が用いられている。
これは、遠隔局に設置されるフレームシンクロナイザに内蔵されたフレームメモリに対し、親局から送られてくる映像の同期信号から再生されるクロックによる書き込みアドレスを発生し、このアドレスによりフレームメモリに映像信号を書き込み、一方遠隔局のシステム同期信号から再生されるクロックによる読み出しアドレスを発生し、このアドレスによりフレームメモリに書き込まれた映像信号を読み出すことにより行われる。
【０００５】
この場合、書き込みクロック周波数と読み出しクロック周波数とに僅かな差があるため、フレームメモリに対する書き込み位相と読み出し位相が徐々に変化し、数時間に１回程度の割合で、書き込み位相と読み出し位相とが追い越し、または追い越されの現象が発生する。
このとき出力画像は同じフレームを２回出力するフレームフリーズ、または１フレーム飛ばすフレームスキップが発生することになる。
【０００６】
【発明が解決しようとする課題】
上記遠隔局において、フレームスキップが発生した場合に、テレビジョン画像については、１フレーム＝３０分の１秒の一瞬の現象のため、違和感などは生じないが、垂直ブランキング期間に重畳されたデータについては、映像画面のスキップとは異なり、例えば字幕データの一部が欠落して、受信画面上で字幕表示が一部行なわれないなどの、目視にて見分けることができるような画面異常が生じることになる。
【０００７】
この発明の目的は、ネット受信放送を実施する場合に、遠隔局側でテレビジョン放送番組の映像信号の帰線期間に多重された番組付随データを欠落させることなくスムーズに再生することが可能なテレビジョン放送番組中継送出システムとそのテレビジョン放送信号受信処理装置及びこのテレビジョン放送信号受信処理装置で使用される信号処理制御方法を提供することにある。
【０００８】
【課題を解決するための手段】
この発明は、上記目的を達成するために、以下のように構成される。
（１）テレビジョン放送番組のベースバンド映像信号を圧縮符号化したデジタル放送信号を第１の放送サービスエリア内に送出する第１の放送局と、この第１の放送局と中継回線を介して接続され、第１の放送局から中継回線を介して送出されたベースバンド映像信号を受信して信号処理を加えた後、第１の放送サービスエリアとは異なる第２の放送サービスエリア内にデジタル放送信号として送出する第２の放送局とを備え、第１の放送局にて番組情報信号のフィールドごとの所定の帰線期間に番組に関する情報を含んだ付随情報を挿入して中継回線により送信するテレビジョン放送番組中継送出システムで第２の放送局として使用されるテレビジョン放送信号受信処理装置を対象にしている。
そして、第１の放送局から中継回線を介して到来したベースバンド映像信号を該ベースバンド映像信号に同期した書き込み速度でメモリに１フレーム分書き込み、自局で発生される同期信号に同期した読み出し速度でメモリに書き込まれたベースバンド映像信号を読み出す映像信号処理手段と、第１の放送局から中継回線を介して到来したベースバンド映像信号を略１フィールド遅延する遅延手段と、第１の放送局から中継回線を介して到来したベースバンド映像信号及び遅延手段の出力のいずれか一方を映像信号処理手段の入力信号として選択的に導出する切替手段と、第１の放送局から中継回線を介して到来したベースバンド映像信号を入力し、該ベースバンド映像信号から同期信号を再生する入力同期再生手段と、この入力同期再生手段により再生される同期信号と自局の同期信号とを位相比較する位相比較手段と、外部から切替指示信号が入力されたとき、位相比較手段の位相比較結果に基づいて切替手段の切り替えを行なう切替制御手段とを備えるようにしたものである。
【０００９】
（１）の発明によれば、自局の同期信号と第１の放送局から中継回線を介して到来するベースバンド映像信号から再生される同期信号とを位相比較することで、ベースバンド映像信号のメモリへの書き込み速度が読み出し速度を追い越す恐れ、つまりフレームスキップが発生する恐れがあるか否かが判定される。そして、フレームスキップが発生する恐れがある場合に、遅延回路によりベースバンド映像信号を略１フィールド遅延した信号をメモリへ導出するように切り替えられる。但し、運用中に信号切替を行なうと、切替時のショックが目立つことになる。そこで、切替指示信号が入力されたときのみ、フレームスキップが発生する恐れがある場合に、ベースバンド映像信号を略１フィールド遅延した信号をメモリへ導出するように切り替えられる。従って、運用時に支障を与えることなく、フレームスキップの発生を未然に防ぐことができ、これによりベースバンド映像信号の帰線期間に挿入された付随情報を確実に再生できる。
【００１０】
（２）切替制御手段は、切替指示信号として初期設定信号が入力されたとき、位相比較手段の位相比較結果に基づいて切替手段の切り替えを行なうことを特徴とする。このようにすることで、フレームスキップの発生への対応が装置の初期設定時、つまり早朝の放送停止時間、特定の番組切替時間というように運用時以外の時間帯に行なわれることになるため、運用時に支障を与えることなく、フレームスキップの発生を未然に防ぐことができる。
【００１１】
（３）切替制御手段は、運用者の指定操作に応じて、位相比較手段の位相比較結果に基づいて切替手段の切り替えを行なうことを特徴とする。このようにすることで、運用者が自身でフレームスキップ対策が必要か否かを判断して指示することができ、これにより必要と判断した場合のみフレームスキップ対策を講じることができる。
【００１２】
（４）番組情報信号の送信元が切り替わった時、位相比較手段の位相比較結果に基づいて切替手段の切り替えを行なうことを特徴とする。このようにすることで、送信局が変わって入力位相が変動し、フレームスキップ発生の恐れがある場合に、フレームスキップ発生に対する対応処理を自動的に行なうことができる。
【００１３】
（５）切替制御手段は、位相比較手段の位相比較結果から入力映像同期再生手段により再生される同期信号と自局の同期信号との位相差が所定値未満となった場合に、アラーム情報を出力するアラーム出力手段を備えることを特徴とする。このようにすることで、運用者はフレームスキップが発生する恐れがあることを即時知ることができ、これにより運用時以外の時間帯で切替操作などのフレームスキップ発生への対応処置を迅速に講じることが可能となる。
【００１４】
【発明の実施の形態】
以下、この発明の実施形態について図面を参照して詳細に説明する。
図１はこの発明に係るテレビジョン放送番組中継送出システムの一実施形態を示す概略構成図である。
【００１５】
図１において、符号１０は第１の放送局としての親局、符号２０は第２の放送局としての遠隔局を示している。親局１０は、デジタル放送信号、つまりＴＳをアンテナ１１から自局が属する放送サービスエリアに向けて送出する。また、親局１０には、放送中継ネットワークＮＷを介して遠隔局２０が接続される。遠隔局２０は、親局１０から放送中継ネットワークＮＷを介して伝送された中継番組情報と自局の番組情報とをＴＳに変換し、このＴＳをアンテナ２１から自局が属する放送サービスエリアに向けて送出する。
【００１６】
図２は上記親局１０の構成を示すブロック図である。
この親局１０は、同図に示すように、大別すると、番組情報信号を選択的に出力するスイッチャー（ＳＷ）１０１と、このスイッチャー１０１から出力される番組情報信号としての映像信号をＭＰＥＧ２符号化方式に基づく可変長圧縮符号化を施し、ＭＰＥＧ２トランスポートストリーム（ＴＳ）パケットに変換するエンコーダ（ＥＮＣ）１０２と、このエンコーダ１０２の出力ＴＳパケットに各種制御データをパケット多重するマルチプレクサ（ＭＵＸ）１０３とを備える。　また、スイッチャー１０１とエンコーダ１０２との間にデータ挿入部１０４が介在されている。
【００１７】
さらに、制御系として番組編成データを蓄積するデータサーバ（ＤＳ）１０６と、このデータサーバ１０６に蓄積された番組編成データに基づいて番組に関する例えば字幕情報や放送制御情報といった付随データとしての補助データパケットをデータ挿入部１０４に与える自動番組送出制御装置（ＡＰＣ）１０７とを備えている。
データ挿入部１０４は、図３に示す如く、自動番組切替制御装置１０７から与えられる補助データパケットを、スイッチャー１０１から出力される映像信号のフィールド中の垂直ブランキング期間に挿入する。
【００１８】
また、この親局には、マルチプレクサ１３から出力されるＴＳ信号を放送中継ネットワークＮＷを介して遠隔局２０に送出するための出力端子１０８と、データ挿入部１０４から出力されるベースバンド形式の映像信号をアナログ中継回線を介して遠隔局２０に送出するための出力端子１０９とが設けられている。
【００１９】
図４は、上記遠隔局２０の構成を示すブロック図である。
この遠隔局２０は、同図に示すように、フレームシンクロナイザＦＳとして、入力映像同期再生部２０１と、書き込み部２０２と、書き込みアドレス発生部２０３と、フレームメモリ２０４と、システム同期発生部２０５と、読み出しアドレス発生部２０６と、読み出し部２０７とを備えている。
【００２０】
まず、親局１０から放送中継ネットワークＮＷを介して到来した映像信号は、入力映像同期再生部２０１及び書き込み部２０２に入力される。
入力映像同期再生部２０１は、入力された映像信号に同期したクロック信号を再生し、書き込みアドレス発生部２０３に出力する。書き込みアドレス発生部２０３は、入力されたクロック信号に同期して書き込みアドレスを発生する。
【００２１】
書き込み部２０２は、書き込みアドレス発生部２０３により発生される書き込みアドレスに基づいて映像信号をフレームメモリ２０４に順次書き込む。
システム同期発生部２０５は、自局のクロック信号を読み出しアドレス発生部２０６に出力する。
【００２２】
読み出しアドレス発生部２０６は、入力されたクロック信号に同期して読み出しアドレスを発生する。
読み出し部２０７は、読み出しアドレス発生部２０６により発生される読み出しアドレスに基づいて、フレームメモリ２０４に書き込まれた映像信号を順次読み出す。
【００２３】
ところで、この実施形態では、フレームシンクロナイザＦＳの前段に、オフセット遅延回路２０８と、切替スイッチ２０９とを備え、さらに制御系として入力映像同期再生部２１０と、位相比較回路２１１と、タイミング制御部２１２と、ＯＲ回路２１３と、自動番組送出制御装置（ＡＰＣ）２１４と、信号不連続検出部２１５とを備えている。
【００２４】
オフセット遅延回路２０８は、親局１０から放送中継ネットワークＮＷを介して到来した映像信号を略１フィールド（Ｔｄ）遅延する。切替スイッチ２０９は、オフセット遅延回路２０８の入力信号及び出力信号のいずれか一方をフレームシンクロナイザＦＳの入力映像同期再生部２０１及び書き込み部２０２に選択的に導出する。
【００２５】
一方、放送中継ネットワークＮＷを介して到来した映像信号は、入力映像同期再生部２１０に入力される。入力映像同期再生部２１０は、入力された映像信号から同期信号を再生し、位相比較回路２１１の一方の入力端に出力する。位相比較回路２１１は、入力映像信号の同期信号とシステム同期再生部２０５から発生される同期信号とを取込んで位相比較し、この位相比較結果をタイミング制御部２１２に通知する。
【００２６】
タイミング制御部２１２には、ＯＲ回路２１３を介して信号不連続検出部２１５の検出信号、手動によるイニシャル設定信号及び自動番組送出制御装置２１４からのイニシャル設定信号が入力される。これらの信号のうちのいずれかが入力された場合に、タイミング制御部２１２は位相比較回路２１１による位相比較結果に基づいて、切替スイッチ２０９の切替制御を行なう。なお、信号不連続検出部２１５は、入力映像同期再生部２１０に入力される映像信号の位相変化を検出し、位相変化があった場合に、その検出信号をイニシャル設定信号としてＯＲ回路２１３に出力する。また、この位相変化は、送信元の放送局が切り替わったときに生じるものである。
【００２７】
また、タイミング制御部２１２は、ＯＲ回路２１３からのイニシャル設定信号が入力されない状態において、位相比較回路２１１の位相比較結果からフレームスキップ発生の恐れがある場合に、表示器２１６に対し警告表示データを送出し表示させる。この警告表示データは、位相比較回路２１１による位相比較結果をもとに、その警告の内容を運用者が認識しやすいように編集したもので、例えば警告の種類を表すマーク等からなる。なお、警告表示データは視覚表示するもの以外に音声合成手段を利用することで音声により知らせるものでもよい。
【００２８】
上記構成において、以下にその処理動作を説明する。
まず、映像信号は、画面走査方式により、インタレース走査方式とプログレッシブ走査方式とがあり、インタレース走査方式では第１フィールドと第２フィールドの２回の走査により映像フレーム１画面が完成する。この場合、補助データパケットは第１フィールドの直前の垂直ブランキング領域及び第２フィールドの直前の垂直ブランキング領域のいずれにも重畳することができる。
【００２９】
一方、プログレッシブ走査方式では、１回の走査により映像フレームが完成する。なお、フレームスキップの現象は、インタレース走査方式の場合と同じように１フレーム単位で発生する。このため、以下の説明ではインタレース走査方式の信号の場合について行うが、フレーム単位というスケール上で取り扱うことにより、プログレッシブ走査方式の場合も全く当てはめることができる。
この実施形態では、親局１０のデータ挿入部１０４によって、映像信号のフィールドごとの垂直ブランキング期間中に、補助データパケットを重畳する。
【００３０】
一方、遠隔局２０では、親局１０から放送中継ネットワークＮＷを介して到来した映像信号を、フレームシンクロナイザＦＳの書き込み部２０２にて、書き込みアドレス発生部２０３より発生する該映像信号のクロックに同期した書き込みアドレスに基づいてフレームメモリ２０４に１フレーム分書き込む。そして、読み出し部２０７にて、読み出しアドレス発生部２０７より発生する自局のクロックに同期した読み出しアドレスに基づいて、フレームメモリ２０４に書き込まれた映像信号を読み出す。
【００３１】
図５及び図６は、フレームメモリ２０４の概念構造と、このフレームメモリ２０４に対し入力映像信号が書き込まれ動作及び読み出される動作を示している。なお、書き込みアドレス及び読み出しアドレスの互いの位相関係は、同期信号源が異なるため一定ではない。
図６（ａ），（ｂ）に示すように、フレームメモリ２０４における書き込みアドレス及び読み出しアドレスの追い越しや追い越されが生じる頻度は、親局１０及び遠隔局２０のそれぞれの同期信号発生装置の原振周波数誤差に関係し、追い越しや追い越されが発生するまでの余裕時間は、両者の現在時点でのフレーム位相に直接関係する。
【００３２】
まず、同期信号の原振として、テレビジョン放送局では通常コンポジット映像の色副搬送波周波数である３５７９５４５Ｈｚが用いられている。放送規格で要求される周波数精度は±１０Ｈｚ（±３×１０−６）であるが、最近の高精度原振装置として例えばルビジウム発振器では±１０−９程度の精度が容易に得られる。追い越しや追い越されが生じる頻度は、１フレーム（Ｔ＝約３３ｍＳ）の位相ずれが生じるまでの時間周期であり、この場合両者の最大誤差条件では、約１９３日となる。これは、１日あたり０．００５フレームの位相差変化が生じることになる。
従って、オフセット遅延量Ｔｄ＝０．１フレーム（約３．３ｍＳ）とすると、一度回避を行なった場合、次に追い越しが生じるまで２０日間かかることになる。
【００３３】
そこで、本実施形態では、オフセット遅延回路２０８を用い、システムの追い越し間際の状態に陥らないような運用上の操作を行なうことにより、フレームスキップによる補助データパケットの欠落を回避することを可能にする。また、フレームメモリ２０４において、書き込みアドレスが読み出しアドレスを追い越すまで２０日かかるので、この間に再度イニシャル設定を余裕をもって行なうことが可能となる。このイニシャル設定は、早朝の保守用の放送停止時間、特定の番組切替時間といったフレームスキップが発生しても影響の少ない時間帯に行なわれる。
【００３４】
ここで、遠隔局２０では、親局１０から放送中継ネットワークＮＷを介して到来した映像信号をフレームシンクロナイザＦＳに与えるとともに、オフセット遅延回路２０８に入力し、略１フィールド期間保持する。同時に、映像信号は入力映像同期再生部２１０に供給されて同期信号に再生され、位相比較回路２１１によってシステム同期再生部２０５で発生される同期信号と位相比較される。この位相比較結果はタイミング制御部２１２に通知される。
【００３５】
タイミング制御部２１２は、図７に示す制御処理を実行する。
この制御処理を開始すると、タイミング制御部２１２は信号不連続検出部２１５からの検出信号、自動番組送出制御装置２１４からのイニシャル設定信号が入力されたか否かの判断を行ない（ステップＳＴ７ａ）、入力された場合に（Ｙｅｓ）、位相比較回路２１１の位相比較結果に基づいて、位相差が所定値（Ｔｄ）未満であるか否かの判断を行なう（ステップＳＴ７ｂ）。
【００３６】
ここで、図６（ａ）に示すごとく位相差が所定値未満である場合に（Ｙｅｓ）、タイミング制御部２１２は切替スイッチ２０９をオフセット遅延回路２０８の出力に切り替えるように切替タイミング信号を出力する（ステップＳＴ７ｃ）。
一方、図６（ｃ）に示すごとく位相差が所定値以上である場合に（Ｎｏ）、タイミング制御部２１２は切替スイッチ２０９をオフセット遅延回路２０８の入力に切替維持させる（ステップＳＴ７ｃ）。
これにより、フレームスキップの発生を防ぐことができ、垂直ブランキング期間の補助データパケットの欠落を回避できる。
【００３７】
以上のように上記実施形態では、遠隔局２０において、親局１０から中継ネットワークＮＷを介して到来する映像信号がオフセット遅延回路２０８により略１フィールド期間保持されるとともに、入力映像同期再生部２１０により同期信号が再生される。この同期信号が位相比較回路２１１によって自局の同期信号と位相比較されることで、映像信号のフレームメモリ２０４への書き込み速度が読み出し速度を追い越す恐れ、つまりフレームスキップが発生する恐れがあるか否かが判定される。そして、フレームスキップが発生する恐れがある場合に、タイミング制御部２１２によってオフセット遅延回路２０８の出力信号をフレームシンクロナイザＦＳへ導出するように切替スイッチ２０９を切り替えるようにしている。
【００３８】
但し、運用中に信号切替を行なうと、切替時のショックが目立つことになるので、イニシャル設定信号が入力されたときのみ、フレームスキップが発生する恐れがある場合に、オフセット遅延回路２０８の出力信号をフレームシンクロナイザＦＳへ導出するように切替スイッチ２０９が切り替えられる。
従って、運用時に支障を与えることなく、フレームスキップの発生を未然に防ぐことができ、これにより入力映像信号の垂直ブランキング期間に挿入された補助データパケットを欠落を起こすことなく確実に再生できる。
【００３９】
また、タイミング制御部２１２は、切替スイッチ２０９に対する切替制御を、自動番組送出制御装置２１４からのイニシャル設定信号が入力された際に行なうようにしている。このため、フレームスキップの発生への対応処理が遠隔局２０のイニシャル設定時、つまり早朝の放送停止時間や特定の番組切替時間に行なわれることになるため、運用に支障を与えることなく、フレームスキップの発生を未然に防ぐことができる。
【００４０】
また、タイミング制御部２１２は、切替スイッチ２０９に対する切替制御を、運用者の手動操作に応じて行なうようにもしている。このため、運用者が自身でフレームスキップ対策が必要か否かを判断して指示することができ、これにより必要と判断した場合のみフレームスキップ対策を講じることができる。
【００４１】
また、放送中継ネットワークＮＷは全局各地の放送局の番組を交換できる構造であり、このため放送局の切替がしばしば行なわれる。この結果、遠隔局２０において、放送局切替時に、入力映像信号の不連続、位相変化、あるいは受信局のシステム制御のための垂直ブランキングに含まれる局間制御信号（ネットキュー）の内容に変化が生じる。この場合も、システムのイニシャル設定制御を実行し、新たに生じた入力位相変化に対処する必要が生じる。そこで、タイミング制御部２１２は、切替スイッチ２０９に対する切替制御を、信号不連続検出部２１５からの検出信号が入力された際に行なうようにもしている。このようにすることで、親局１０が変わって入力位相が変動し、フレームスキップ発生の恐れがある場合に、フレームスキップ発生に対する対応処理を行なうことができる。
【００４２】
さらに、タイミング制御部２１２は、ＯＲ回路２１３からイニシャル設定信号が入力されない状態において、位相比較回路２１１の位相比較結果から位相差が所定値未満となったことが検出された場合に、その検出内容を表す表示データを作成して表示器２１６へ送って表示させるようにしている。このため、運用者にフレームスキップが発生する恐れがある旨を知らせることができ、これにより運用時以外の時間帯で切替操作などのフレームスキップ発生への確実な対応を行なうことが可能となる。
【００４３】
なお、この発明は上記実施形態に限定されるものではない。例えば、映像信号のフレーム中の水平ブランキング期間に補助データパケットを挿入しておくようにしてもよい。
また、上記実施形態では、フレームメモリを使用する例について説明したが、フィールドメモリ等であってもよい。
【００４４】
さらに、上記実施形態では、自動番組送出制御装置２１４からのイニシャル設定信号の入力タイミング、運用者の手動操作によるイニシャル設定信号の入力タイミング及び信号不連続検出部２１５からのイニシャル設定信号の入力タイミングで切替スイッチ２０９の切替制御を行なう例について説明したが、これに限ることなく、他のイニシャル設定信号の入力タイミングで切替スイッチ２０９の切替制御を行なうようにしてもよい。
その他、システム構成、親局及び遠隔局内の構成、補助データパケットの種類、放送中継ネットワークの種類等についても、この発明の要旨を逸脱しない範囲で種々変形して実施できる。
【００４５】
【発明の効果】
以上詳述したようにこの発明によれば、ネット受信放送を実施する場合に、遠隔局側でテレビジョン放送番組の映像信号の帰線期間に多重された番組付随データを欠落させることなくスムーズに再生することが可能なテレビジョン放送番組中継送出システムとそのテレビジョン放送信号受信処理装置及びこのテレビジョン放送信号受信処理装置で使用される信号処理制御方法を提供することができる。
【図面の簡単な説明】
【図１】この発明に係るデジタル放送番組中継送出システムの一実施形態を示す概略構成図。
【図２】図１に示した親局の構成を示すブロック図。
【図３】補助データパケットを重畳した映像信号の構造を示す図。
【図４】図１に示した遠隔局の構成を示すブロック図。
【図５】図４に示したフレームメモリにおけるフレーム走査概念を説明するために示す図。
【図６】上記フレームメモリにおける書き込みアドレス及び読み出しアドレスの位相関係を説明するために示す図。
【図７】図４に示したタイミング制御部の処理手順を説明するために示すフローチャート。
【符号の説明】
１０…親局、
２０…遠隔局、
１０４…データ挿入部、
２０１…入力映像同期再生部、
２０２…書き込み部、
２０３…書き込みアドレス発生部、
２０４…フレームメモリ、
２０５…システム同期発生部、
２０６…読み出しアドレス発生部、
２０７…読み出し部、
２０８…オフセット遅延回路、
２０９…切替スイッチ、
２１０…入力映像同期再生部、
２１１…位相比較回路、
２１２…タイミング制御部、
２１３…ＯＲ回路、
２１４…自動番組送出装置（ＡＰＣ）、
２１５…信号不連続検出部、
２１６…表示器、
ＮＷ…放送中継ネットワーク。
【図１】
2004040194.tif 000003
【図２】
2004040194.tif 000004
【図３】
2004040194.tif 000005
【図４】
2004040194.tif 000006
【図５】
2004040194.tif 000007
【図６】
2004040194.tif 000008
【図７】
2004040194.tif 000009